(57)【要約】      （修正有）【課題】ペン本体に、使用者が手に嵌めることができる掛止部を設けることで、携帯に便利でかつ紛失の可能性を少なくした筆記具を提供する。【解決手段】ペン本体１と掛止部２からなり、該ペン本体１は、握り部１１とペン先１２を含み、前記握り部１１内には、インク１３を充填する。前記握り部１１の後部には孔である結合部１１１が設けられ、前記掛止部が前記握り部１１の結合部１１１に嵌め込まれて結合し、ユーザーは筆記具の掛止部２を手に嵌めることができ、便利で快適に筆記具を身に付けて携帯することができ、しかも紛失し難く、また前記掛止部２は前記握り部１１に括ることもできる。掛止部２の製造材料については、可撓性材料又は非可撓性の硬質材料を使用することができ、可撓性材料を使用する場合、ユーザーは前記掛止部２を自由に湾曲して多様な造型を形成することができる。【選択図】図１
0003156877.tif 000002
【実用新案登録請求の範囲】
【請求項１】
握り部と前記握り部の端部に連接されたペン先とを含むペン本体と、
前記握り部の対向するもう一方の端部に連接され、ユーザーが手に嵌めるための掛止部と、
を含むことを特徴とする筆記具。
【請求項２】
前記握り部と前記掛止部とは一体成形であることを特徴とする請求項１に記載の筆記具。
【請求項３】
前記掛止部の製造材料は可撓性の材料又は非可撓性の材料であり、前記握り部の製造材料も可撓性の材料又は非可撓性の材料であることを特徴とする請求項１に記載の筆記具。
【請求項４】
前記握り部と前記ペン先の外部に嵌めるペンキャップをさらに含み、前記握り部と前記ペンキャップは各々少なくとも１つの対応する係止溝と凸状リングを有し、前記少なくとも１つの係止溝は前記握り部の外表面に凹設され、前記少なくとも１つの凸状リングは前記ペンキャップの内表面に突設され、前記少なくとも１つの凸状リングは前記少なくとも１つの係止溝内に係止されることを特徴とする請求項１に記載の筆記具。
【請求項５】
前記握り部の後部には結合部が設けられ、前記掛止部は前記握り部の結合部に結合されることを特徴とする請求項１に記載の筆記具。
【考案の詳細な説明】
【技術分野】
【０００１】
本考案は筆記具に関し、特に筆記具構造の改良に関する。
【背景技術】
【０００２】
筆記具を使用したい時に、生憎身の回りに筆記具がないといった経験を多くの人がしているに違いない。その原因は、一般の人は筆記具を身に付けて携帯しようとして、衣服やシャツのポケットに挿したり、さもなければズボンのベルトに引っ掛けたりしているが、衣服やズボンは毎日着替えて洗濯するため、日々筆記具を取り出さなければならず、翌日うっかりすると、筆記具を身に付けるのをよく失念することにある。しかも筆記具はベルトに引っ掛けていると、腰を下ろした際不快に感じる。よって便利でしかも快適に身に付けて携帯することができる筆記具を開発する必要があった。
【０００３】
そこで、本考案人は上記の欠点が改善可能と考え、特に研究に専念すると共に併せて学術理論を運用して、最終的に合理的設計で上記の欠点が効果的に改善された本考案を提案するものである。
【考案の概要】
【考案が解決しようとする課題】
【０００４】
上記の課題に鑑み、本考案の主たる目的は便利でしかも快適に身に付けて携帯することができ、しかも紛失し難い筆記具を提供することである。
【課題を解決するための手段】
【０００５】
上記の目的を達成するために本考案は、握り部と前記握り部の端部に連接されたペン先とからなるペン本体、並びに、前記握り部の対向するもう一方の端部の外部に連接され、ユーザーが手に嵌めるための掛止部とを含むことを特徴とする筆記具を提供する。
【考案の効果】
【０００６】
本考案には下記の有益な効果がある。ユーザーが筆記具の掛止部を手に嵌めることができるので、便利でしかも快適に筆記具を身に付けて携帯することができ、また筆記具が手に嵌められるので、毎回筆記具を使用した後でも紛失し難く、一方では、ユーザーは前記掛止部に装飾品を別途取り付けることができ、筆記具が実用性と美観を兼備し、書写への興味が深まる。
【図面の簡単な説明】
【０００７】
【図１】本考案の筆記具の組合状態の斜視図である。
【図２】本考案の筆記具を分解した斜視図である。
【図３】本考案の筆記具の実施例２の組合状態の斜視図である。
【図４】本考案の筆記具の実施例３の組合状態の斜視図である。
【図５】本考案の筆記具の実施例４の組合状態の斜視図である。
【図６】本考案の筆記具に装飾品を別途取り付けた斜視図である。
【図７】本考案の筆記具にペンホルダーを連接した斜視図である。
【図８】本考案の筆記具にペンホルダーを連接した別の斜視図である。
【図９】本考案の筆記具の実施例５の組合状態の斜視図である。
【図１０】本考案の筆記具の実施例６の組合状態の斜視図である。
【図１１】本考案の筆記具の実施例６の組合状態の斜視図である。
【図１２】本考案の筆記具がユーザーの手に嵌められた概略図である。
【実施例１】
【０００８】
図１、図２で示すように、本考案はペン本体１と掛止部２からなる筆記具を提供する。前記ペン本体１は握り部１１とペン先１２を含み、前記握り部１１内にはインク１３を充填し、インク１３は油性、中性又は水性でよい。前記握り部１１の製造材料は非可撓性の硬質材料又は可撓性材料を選択することができ、前記握り部１１の半径は従来のインクペンの芯より太くしないと、ユーザーが握り持つことができず、前記ペン先１２は、前記握り部１１の突端に連接される。前記握り部１１内部のインク１３は前記ペン先１２に流動し、ユーザーが握り部１１を握り持って書写すると、インクが前記ペン先１２から流出する。また、前記ペン本体１は電子ペン、鉛筆、シャープペンシル、レーザーペン等その他のペン類でもよい。
【実施例２】
【０００９】
前記握り部１１の後部には孔である結合部１１１が設けられ、前記掛止部が前記握り部１１の結合部１１１に嵌め込まれて結合し、ユーザーは筆記具の掛止部２を手に嵌めることができ、便利で快適に筆記具を身に付けて携帯することができ、しかも紛失し難く、また前記掛止部２は前記握り部１１に括ることもできる（図３参照）。
【００１０】
掛止部２の製造材料については、可撓性材料又は非可撓性の硬質材料を使用することができ、可撓性材料を使用する場合、ユーザーは前記掛止部２を自由に湾曲して多様な造型を形成することができ、また前記掛止部２がチタン・ゲルマニウムの金属リングのような非可撓性の硬質材料を使用する場合、チタン・ゲルマニウムの金属リングがユーザーの手に巻き付くと手のフリーラジカルを活性化し、ユーザーの健康に有益である。
【実施例３】
【００１１】
前記握り部１１は製造材料を変化させるほかに、図４に示すように形状面でも多様な変化をさせることができ、図１との相違点は前記握り部１１が扁平なプレートになり、しかも前記握り部１１の長さが前記掛止部２の長さより明らかに短いことである。
【実施例４】
【００１２】
図５に示すように、前記掛止部２には１つ又は複数の伸縮部２１を設け、前記伸縮部２１によってユーザーは前記掛止部２の角度を転換させることができる。
【００１３】
図６に示すように、ユーザーは前記掛止部２の後端に、花形装飾品のような装飾品３を縛って接続することができ、筆記具が実用性と美観を兼備し、書写への興味が深まる。
【００１４】
図７、図８に示すように、前記筆記具はまたペンホルダー４と併せて使用することもでき、前記ペン本体１は前記ペンホルダー４内に挿入して載置され、前記掛止部２は前記ペン本体１から離れた一端にロープ５によって前記ペンホルダー４に固定することもできる。
【実施例５】
【００１５】
図９に示すように、前記握り部１１と前記掛止部２は一体成型であって相互に組立てたものではなく、前記握り部１１の製造材料は非可撓性の硬質材料又は可撓性材料を選択することができる。
【実施例６】
【００１６】
図１０、図１１に示すように、前記筆記具はさらにペンキャップ６を含み、前記握り部１１と前記ペンキャップ６はそれぞれ対応する係止溝１１２と凸状リング６１を有し、前記係止溝１１２は前記握り部１１の外表面に凹設され、前記凸状リング６１は前記ペンキャップ６の内表面に突設され、ユーザーが筆記具を使用しないとき、前記ペンキャップ６を前記握り部１１と前記ペン先１２の外部に嵌め込み、前記ペンキャップ６の凸状リング６１は前記握り部１１の係止溝１１２内に係止されて、ペン先１２（図２参照）を保護する効果を果たす。
【００１７】
図１２に示すように、ユーザーが筆記具を携帯しようとする際、筆記具の掛止部２を手に嵌め、書写する際手指で前記握り部１１又は前記掛止部２を握りさえすれば書写することができる。
【００１８】
本考案の筆記具は、ユーザーが筆記具の掛止部２を手に嵌めることができるので、便利でしかも快適に筆記具を身に付けて携帯することができ、また筆記具が手に嵌められるので、毎回筆記具を使用しても紛失し難く、一方では、ユーザーは前記掛止部２に装飾品３を別途取り付けることができ、筆記具が実用性と美観を兼備し、書写への興味が深まる。
【００１９】
以上の記述は本考案の好ましい実施例に過ぎず、本考案の実施範囲を限定するものではなく、本実用新案登録請求の範囲において行った均等な変更若しくは修飾についても、全て本実用新案登録請求の範囲内とする。
【符号の説明】
【００２０】
１      ペン本体
１１    握り部
１１１  結合部
１１２  係止溝
１２    ペン先
２      掛止部
２１    伸縮部
３      装飾品
４      ペンホルダー
５      ロープ
６      ペンキャップ
６１    凸状リング
【図１】
0003156877.tif 000003
【図２】
0003156877.tif 000004
【図３】
0003156877.tif 000005
【図４】
0003156877.tif 000006
【図５】
0003156877.tif 000007
【図６】
0003156877.tif 000008
【図７】
0003156877.tif 000009
【図８】
0003156877.tif 000010
【図９】
0003156877.tif 000011
【図１０】
0003156877.tif 000012
【図１１】
0003156877.tif 000013
【図１２】
0003156877.tif 000014